(57)【要約】【課題】不必要に場所をとらず、移動・持ち運びが容易であり、さらに施工が簡単であり、多様な形状の畔にも対応させやすい畔カバーを提供する。【解決手段】長方形の平板が該長方形の縦方向に沿う折り曲げ線２によって複数のカバー部１ａ，１ｂ，１ｃに区分されており、前記折り曲げ線２は周囲よりも肉厚を薄く形成され、各カバー部の少なくとも片面に前記折り曲げ線と平行な縦リブ３が形成されている。使用する際には、隣接するカバー部同士の角度が畔の形状に合った適正な角度となるように折り曲げ線２に沿って折り曲げて、各カバー部１ａ，１ｂ，１ｃが畔の上面及び側面を覆うように畔に被せて設置する。この設置状態では、縦リブ３が畔土に差し込まれることにより、畔カバー１がずれない。【選択図】        図６
2005023655.tif 000002
【特許請求の範囲】
【請求項１】
実質上長方形の平板が該長方形の縦方向に沿う折り曲げ線によって複数のカバー部に区分され、前記折り曲げ線は周囲よりも肉厚が薄く形成されているとともに、前記複数個のカバー部の少なくとも一つのカバー部の片面に前記折り曲げ線と実質上平行な縦リブが形成されていることを特徴とする畔カバー。
【請求項２】
前記平板が、該長方形の縦方向に沿う２本の折り曲げ線によって、中央カバー部と左カバー部と右カバー部とに区分されている請求項１に記載の畔カバー。
【請求項３】
前記各カバー部に形成されている縦リブのうち少なくとも１つの先端部が鋭利に形成されている請求項１又は２に記載の畔カバー。
【請求項４】
前記各カバー部の縦方向の一端部は上面側が層状に切り欠かれ、他端部は下面側が層状に切り欠かれている請求項１乃至３のいずれかに記載の畔カバー。
【請求項５】
前記縦リブが形成されている面に、該縦リブと交差する横リブが形成されている請求項１乃至４のいずれかに記載の畔カバー。
【発明の詳細な説明】
【０００１】
【発明の属する技術分野】
本発明は、田畑等の畔（あるいは畦）に対し、崩落防止、水漏れ防止、雑草生育防止等のために保護カバーとして使用する畔カバーに関する。
【０００２】
【従来の技術】
田や畑の境界あるいは仕切り部には、通常、土を盛って造られた畔が形成されている。この畔は、その上を人や一輪車等の簡単な農作業車が移動することに利用されるので、盛り土の崩落等の変形が生じやすい。また、風化、小動物の棲息活動、雑草の生育等によっても、時間経過とともに盛り土の崩落したり内部に空洞ができたりする。このように畔が崩れると、境界や仕切りとしての用をなさなくなるとともに、人や農作業車の移動が困難になり、農作業に大きな支障をきたすことになる。また、水田においては、畔が崩れた場合、水漏れにより水田の水位を保てなくなるという不都合も生じる。このような畔の崩落・水漏れを防ぐためには、定期的に畔の補修を行うことが必要であるが、この作業はかなりの重労働となるため、特に高齢者の多い農家にとっては大きな負担となっている。
【０００３】
そこで、畔の崩落防止、水漏れ防止、雑草生育防止等を目的として、畔を覆って保護するための断面Ｌ字形や逆Ｕ字形をした畔カバーが種々提案されている（例えば、特許文献１参照）。この種の畔カバーは、補強繊維マットとマトリックス樹脂などを型取り・積層することにより、あらかじめ畔の形に合うような断面形状に形成されたものであった。
【０００４】
【特許文献１】
特許第３１４５６６１号公報
【０００５】
【発明が解決しようとする課題】
しかしながら、特許文献１に記載のものを含む従来の畔カバー（特許文献１では「畔保護カバー」）は、上述のように、あらかじめ形状がＬ字形やＵ字形に固定されているため、トラックの荷台に積んで運搬する場合に、一度に多くの数を積み込むことが困難であり、多めに積み込んだ場合には積み荷が不安定となり荷崩れや破損が生じやすいという問題があった。実際に田畑にて畔カバーを使用するには多数の畔カバーが必要となるので、運搬のしやすさは作業効率の点から重要なポイントである。
【０００６】
また、形状が決まっている従来の畔カバーは、多様な畔の形状に対して対応できないという問題があった。例えば、Ｕ字形をした畔カバーは、裾広がりの台形状の畔に対し、うまくはめ込んでフィットさせることは困難である。また、あらかじめ台形状になった畔カバーであっても、裾の広がり具合が異なる畔や広がり具合が変化している畔に対しては、適正な設置状態が得られない。不適正な畔カバーを畔に無理やり設置しようとすると大きな力が必要で、少人数での施工や高齢者による施工は大変な難作業となる。また、無理やり設置した場合には、畔の内部に空間ができたり、畔と畔カバーの間に隙間ができたりしやすく、短期間で畔が崩落や水漏れが生じたりするおそれがある。
【０００７】
本発明は、上記従来の畔カバーの問題点を考慮し、不必要に場所をとらず、移動・持ち運びが容易であり、施工が簡単であり、多様な形状の畔にも対応させやすく、また、安定して設置し易く、施工後のずれや沈みが生じにくく、畔土の崩壊や水漏れ、雑草の生育を効果的に防止できる畔カバーを提供すること目的とする。
【０００８】
【課題を解決するための手段】
上記課題を解決するために、本発明は次の構成を備える。
【０００９】
第１の本発明は、実質上長方形の平板が該長方形の縦方向に沿う折り曲げ線によって複数のカバー部に区分され、前記折り曲げ線は周囲よりも肉厚が薄く形成されているとともに、前記複数個のカバー部の少なくとも一つのカバー部の片面に前記折り曲げ線と実質上平行な縦リブが形成されていることを特徴とする畔カバーである。
【００１０】
第２の本発明は、前記平板が、該長方形の縦方向に沿う２本の折り曲げ線によって、中央カバー部と左カバー部と右カバー部とに区分されている第１の本発明の畔カバーである。
【００１１】
第３の本発明は、前記各カバー部に形成されている縦リブのうち少なくとも１つの先端部が鋭利に形成されている第１又は２の本発明の畔カバーである。
【００１２】
第４の本発明は、前記各カバー部の縦方向の一端部は上面側が層状に切り欠かれ、他端部は下面側が層状に切り欠かれている第１乃至３のいずれかの本発明の畔カバーである。
【００１３】
第５の本発明は、前記縦リブが形成されている面に、該縦リブと交差する横リブが形成されている第１乃至４のいずれかの本発明の畔カバーである。
【００１４】
第１の本発明の畦カバーでは、使用する際には、折り曲げ線に沿って畔カバーを折り曲げて、隣接するカバー部同士の角度を畔の上面と側面との角度に合わせる。折り曲げ線は肉厚が薄くなっているので、容易に折り曲げることができる。そして、各カバー部が畔の上面及び側面を覆うように畔に被せて設置する。縦リブが畔土に差し込まれることにより、畔カバーが固定されてずれない。
【００１５】
使用前の畔カバーは平板状であるので、積み重ねやすく、トラックやフォークリフトでの運搬が容易である。また、積み重ねた状態で嵩張らないので、一度に多くを運ぶことができる。場合によっては、トラックの荷台の形状やスペースに合わせて、畔カバーを折り曲げ線に沿って折り曲げることも可能である。
【００１６】
また、第２の本発明の畔カバーでは、断面台形状の畔に対し、中央カバー部が畔の上面に当接し、左カバー部及び右カバー部が畔の両側面にそれぞれ当接するように設置することができる。
【００１７】
さらに、第３の本発明の畔カバーでは、縦リブを畔土に差し込みやすく、設置作業がしやすい。
【００１８】
さらに、第４の本発明の畦カバーでは、畔カバーを縦方向につなぐ場合に、一方の畔カバーの端部と他方の畔カバーの端部とを重ね合わせて、両畔カバーを緊密に接続することが可能になる。
【００１９】
さらに、第５の本発明の畦カバーは、横リブが畔土に差し込まれることにより、畔に設置した畔カバーが縦方向にずれにくくなる。
【００２０】
【発明の実施の形態】
以下、図面を参照にして本発明の代表的な実施の形態について説明する。図１以下に示す畔カバー１は、長方形の合成樹脂製平板にその長手方向（縦方向）に沿う２本の平行な折り曲げ線２，２が形成されており、該折り曲げ線を境界として各々横幅が一定の左カバー部１ａ、中央カバー部１ｂ、及び右カバー部１ｃに分れている。
【００２１】
折り曲げ線２は、図２に示すような断面半円形の溝状で、周囲に比べて肉厚が薄くなっている。このため、折り曲げ線２，２に沿って中央カバー部１ｂに対し左カバー部１ａ及び右カバー部１ｃを簡単に折り曲げられる。図示例では溝が片面（下面）にだけ形成されているが、両面に溝を形成してもよい。あるいは上面に溝が設けられてもよい。
【００２２】
各カバー部１ａ，１ｂ，１ｃの下面には、下方に突出する縦リブ３，３，３が折り曲げ線２，２と平行に形成されている。この縦リブ３は、図４に示すように、先端部が斜めに切り落とされた鋭利な形状になっている。また、この縦リブ３がカバー部に対してなす角度θは、畦に突き刺されやすいような角度が望ましい。例えば少し鋭角なのが望ましい。とくに縦リブ３の長さが長い場合は、湾曲していても良い。
【００２３】
また、各カバー部１ａ，１ｂ，１ｃの下面には、前記縦リブ３，３と交差（図示例では直交）する横リブ４，４が形成されている。この横リブ４も、縦リブ３と同様に、先端部が鋭利に形成されている。一方、各カバー部１ａ，１ｂ，１ｃの上面には、滑り止め用の小突起５，…が多数形成されている。
【００２４】
また、この畔カバー１の縦方向の端部は図５に示す形状になっている。すなわち、一方の端部は上面側が層状に切り欠かれた第一接続部６として形成され、他方の端部は下面側が層状に切り欠かれた第二接続部７として形成されている。これにより、２個の畔カバー１，１を第一接続部６と第二接続部７とが対向するように縦方向に接続する場合、両畔カバー１，１が同じ高さのまま両接続部６，７が上下に重なり合う。
【００２５】
この畔カバー１の素材となる合成樹脂としては、高密度ポリエチレン等が適している。この高密度ポリエチレンは再生原料を使用可能であるから、ゴミの減少化、資源のリサイクルに有効である。また、成形方法としては、押し出し加工又はプレス加工が利用できる。
【００２６】
各部の寸法は、平均的な畔の大きさに合わせて、中央カバー部１ｂの幅Ａは３００ｍｍ程度、左カバー部１ａ及び右カバー部１ｃの幅Ｂは４００ｍｍ程度とするのが好ましい。長さＣは、積載量４トンのトラックに積載可能なように、４ｍ程度とするのが好ましい。厚さＴは強度を考慮して６ｍｍ程度が好ましく、場合によってはそれ以下でも良い。
【００２７】
次に、この畔カバー１の設置方法について説明する。図６及び図７に示すように、中央カバー部１ｂと左カバー部１ａ及び右カバー部１ｃとの角度が設置する畔８の上面と側面との角度αと同じになるように、畔カバー１を折り曲げ線２，２に沿って折り曲げ、下面側が下になるように畔１０に被せる。これにより、中央カバー部１ｂが畔の上面を覆い、左カバー部１ａ及び右カバー部１ｃが畔の側面を覆うようになる。
【００２８】
そして、各カバー部１ａ，１ｂ，１ｃを軽く畔１０に押し付けることにより、各カバー部１ａ，１ｂ，１ｃが畔の外面と隙間なく接する。このとき、縦リブ３，３及び横リブ４，４が畔土に差し込まれることにより、畔カバー１の縦横方向のずれや沈み込みが規制される。折り曲げ線２，２は肉厚が薄くなっているので、容易に折り曲げることができ、また、縦リブ３，３及び横リブ４，４の先端部が鋭利に形成されているので、縦リブ３，３及び横リブ４，４を簡単に畔土に差し込むことができる。
【００２９】
畔カバー１を並べて設置する際には、隣接する２個の畔カバーにおける一方の畔カバーの第一接続部６と他方の畔カバーの第二接続部７とが上下に重なるように設置する。これにより、前述したように両畔カバーを同じ高さに保持できるとともに、両畔カバーの間に隙間が生じず、畔カバーの内側に風雨が入ることを防止できる。
【００３０】
畔のコーナー部については、図８に示すように、畔カバー１，１のコーナー側の端部を斜めに切断し、両畔カバー１，１を別パーツのコーナーカバー８で接続すると良い。図９に示すように、コーナーカバー８の両端部に段部８ａ，８ａを付けておけば、該段部８ａ，８ａが畔カバー１，１の切断端部に上から重なるので、コーナーカバー８と畔カバー１，１の間に隙間が生じず、これらカバー８，１，１の内側に風雨が入ることを防止できる。
【００３１】
このように畔カバー１，…が設置された畔８は、該カバーによって保護されているので、その上を人や一輪車が通っても畔土が崩落することがない。畔カバー１の上面には滑り止め用の小突起５，…が形成されているので、人や一輪車が滑りにくく移動が楽である。また、外面が畔カバーで保護されているので、風雨の影響を受けず、モグラ等の小動物の侵入防止にも効果があり、時間経過による畔の崩壊を少なくできる。さらに、雑草の生育を防止できるので、草刈り作業からも解放される。
【００３２】
図１０乃至図１１は畔カバー１の異なる設置の仕方を表している。図１０は畔の上面を中央カバー部１ｂと右カバー部１ｃで覆い、片方の側面を左カバー部１ａで覆うように設置している。図１１は畔の上面を右カバー部１ｃで覆い、片方の側面を中央カバー部１ｂと左カバー部１ａで覆うように設置している。このように、畔の上面と片方の側面を畔カバー１で覆う場合であっても、上面の幅や側面の幅（高さ）に応じて使い分けることができる。また、図１２は畔の片方の側面だけを各カバー部１ａ，１ｂ，１ｃで覆うように設置している。この設置の仕方は、棚田のように高低差のある二つの圃場を仕切る畔における低位側の側面を被覆保護する場合に有効である。この場合、左カバー部１ａと中央カバー部１ｂとの角度、及び中央カバー部１ｂと右カバー部１ｃとの角度を任意に変更できるので、側面の傾斜が途中で変化している畔にも対応できる。さらに、場合によっては、畔カバーを２個使用し、図１２の設置の仕方と図１０もしくは図１１の設置の仕方とを組み合わせることも可能である。
【００３３】
なお、本発明の折り曲げ線は、図１のように２本に限定される必要はなく、使用状況あるいは運搬時の載積し易さに応じて、製造コストが必要最小となるように１本あるいは３本以上形成してもよい。たとえば、左右各２本の計４本あるいは左右各３本の計６本を形成した場合には、畔の形状が複雑な場合によりフィットさせ易くなる。
【００３４】
同様に縦リブ３および横リブ４の数も使用状況に応じてその本数を適宜加減してもよい。
【００３５】
さらにまた、横リプ４や滑り止め５は、製造方法を簡略化したい場合には設けなくても良いし、他の形状に製造してもよい。
【００３６】
【発明の効果】
以上に説明したように、本発明にかかる畔カバーは、複数のカバー部が互いに適正な角度となるように折り曲げ線に沿って折り曲げることができるので、当該畔カバーを設置する畔に合わせて適正な形状に屈曲成形させ、畔との間に隙間が生じないようにフィットさせて設置することが可能であり、しかも、縦リブが畔土に差し込まれることにより、位置ずれしない安定した設置状態が得られる。
【００３７】
また、使用前には平板状であるので、積み重ねやすく、トラックやフォークリフトで容易かつ効率的に運搬できる。
【図面の簡単な説明】
【図１】本発明の位置実施の形態にかかる畔カバーの下面図である。
【図２】図１のＳ１−Ｓ１断面図である。
【図３】図１のＳ２−Ｓ２断面図である。
【図４】本発明の一実施の形態にかかる畔カバーの縦リブ及び横リブの拡大断面図である。
【図５】本発明の一実施の形態にかかる畔カバーの縦方向の端部の拡大断面図である。
【図６】本発明の一実施の形態にかかる畔カバーの使用時の状態を示す図である。
【図７】本発明の一実施の形態にかかる畔カバーの使用時の状態を示す斜視図である。
【図８】本発明の一実施の形態にかかる畔カバー及びコーナーカバーを設置した畔のコーナー部の平面図である。
【図９】本発明の一実施の形態にかかる畔カバーとコーナーカバーの接続部の断面図である。
【図１０】本発明の一実施の形態にかかる畔カバーの異なる設置の仕方その１を示す図である。
【図１１】本発明の一実施の形態にかかる畔カバーの異なる設置の仕方その２を示す図である。
【図１２】本発明の一実施の形態にかかる畔カバーの異なる設置の仕方その３を示す図である。
【符号の説明】
１  畔カバー
１ａ  左カバー部
１ｂ  中央カバー部
１ｃ  右カバー部
２  折り曲げ線
３  縦リブ
４  横リブ
５  小突起
６  第一接続部
７  第二接続部
【図１】
2005023655.tif 000003
【図２】
2005023655.tif 000004
【図３】
2005023655.tif 000005
【図４】
2005023655.tif 000006
【図５】
2005023655.tif 000007
【図６】
2005023655.tif 000008
【図７】
2005023655.tif 000009
【図８】
2005023655.tif 000010
【図９】
2005023655.tif 000011
【図１０】
2005023655.tif 000012
【図１１】
2005023655.tif 000013
【図１２】
2005023655.tif 000014